(57)【要約】【課題】表示系のコンパクト化が可能であると共に、瞬読性に優れる車両用操作系操作状態表示方法およびシステムの提供。【解決手段】表示系Ｂにおける各種機能の選択・切り替え操作状態表示として各機能毎に各機能に応じた異なるシンボルマーク、略字、略号等のマーク２１〜２７が表示され、かつ、各機能のマークはそれぞれその時の切り替え操作状態に応じた異なるマークに切り替え表示され、操作系Ａにおける左右方向キー６、７の操作によって各種機能の選択が行われると共に、該選択された機能が表示系Ｂにおける選択機能のマーク２１〜２７の位置にカーソル２８の移動により表示され、さらにエンターキー３および上下方向キー４、５の操作により各選択機能における動作・非動作および／または動作機能の切り替え操作が行われる。【選択図】      図４
2004243834.tif 000002
【特許請求の範囲】
【請求項１】
車両の所定の機能装置における各種機能の選択操作および各機能の動作・非動作および／または動作機能の切り替え操作を行う操作系の選択・切り替え操作に基づき、各機能の選択・切り替え操作状態を表示系に表示するようにした車両用操作系操作状態表示方法であって、
前記表示系における各種機能の選択・切り替え操作状態表示として各機能毎に各機能に応じた異なるシンボルマーク、略字、略号等のマークが表示され、かつ、各機能のマークはそれぞれその時の切り替え操作状態に応じた異なるマークに切り替え表示され、
前記操作系で選択された機能を前記表示系における選択機能のマークの位置にカーソル移動等の選択位置表示により視認可能にしたことを特徴とする車両用操作系操作状態表示方法。
【請求項２】
車両の所定の機能装置における各種機能の選択操作および各機能の動作・非動作および／または動作機能の切り替え操作を行う操作系と、該操作系の選択・切り替え操作に基づき、各機能の選択・切り替え操作状態を表示する表示系とを備えた車両用操作系操作状態表示システムであって、
前記操作系は、少なくとも各種機能の選択操作キーと、各選択機能における動作・非動作および／または動作機能の切り替え操作を行う切替・決定キーとを備え、
前記表示系は、各種機能の選択・切り替え操作状態表示として各機能毎に各機能に応じた異なるシンボルマーク、略字、略号等のマークが表示され、かつ、各機能のマークはそれぞれその時の切り替え操作状態に応じた異なるマークに切り替え表示されるように構成され、
前記操作系で選択された機能を前記表示系における選択機能のマークの位置にカーソル移動等の選択位置表示により視認可能に構成されていることを特徴とする車両用操作系操作状態表示システム。
【請求項３】
請求項２に記載の車両用操作系操作状態表示システムにおいて、
前記操作系は、オ−ディオ装置、エアコン装置等の複数の機能装置の選択呼出キーと、各機能装置における各種機能の選択操作キーと、各選択機能における動作・非動作および／または動作機能の切り替え操作を行う切替・決定キーとを備え、
前記表示系は、前記選択呼出キーで選択し呼び出された機能装置における各種機能の選択・切り替え操作状態が表示されるように構成されていることを特徴とする。
【請求項４】
請求項３に記載の車両用操作系操作状態表示システムにおいて、
前記操作系における各種機能の選択操作キーが上下・左右の４方向キーで構成され、
前記表示系における各種機能のマークが横一列に配置され、
前記選択呼出キーの選択呼び出し機能装置がオーディオ装置の時は中央にボリュウム切替マーク、エアコン装置の時は中央に設定温度切替マークがそれぞれ表示され、それぞれ前記上下方向キー操作によりボリュームまた設定温度の切り替え操作が行なわれ、
前記左右方向キー操作により各種機能の選択が行われ、
前記切替・決定キーを構成するエンターキー操作により各選択機能における動作・非動作および／または動作機能の切り替え操作が行われるように構成されていることを特徴とする。
【請求項５】
請求項１に記載の車両用操作系操作状態表示方法または請求項２〜４のいずれか１項に記載の車両用操作系操作状態表示システムにおいて、
前記表示系における前記切替・決定キーで切り替えられる各選択機能における動作・非動作および／または動作機能の切り替えをマークの色調やコントラスト変化等により区別して表示するように構成されていることを特徴とする。
【請求項６】
請求項１に記載の車両用操作系操作状態表示方法または請求項２〜４のいずれか１項に記載の車両用操作系操作状態表示システムにおいて、
前記表示系における前記切替・決定キーで切り替えられる各選択機能における動作・非動作および／または動作機能の切り替えマークとして、切り替え操作前の状態を示すマークをモノクロで表示し、切り替え操作後の状態を示すマークをカラー表示するように構成されていることを特徴とする。
【請求項７】
請求項１に記載の車両用操作系操作状態表示方法または請求項２〜６のいずれか１項に記載の車両用操作系操作状態表示システムにおいて、
前記操作系がステアリングに設けられていることを特徴とする。
【発明の詳細な説明】
【０００１】
【発明の属する技術分野】
本発明は、車載のオーディオ装置やエアコン装置等の機能装置における各種機能の選択操作および各機能の動作・非動作および／または動作機能の切り替え操作を行う操作系の選択・切り替え操作に基づき、各機能の選択・切り替え操作状態を表示系に表示するようにした車両用操作系操作状態表示方法および操作系操作状態表示システムに関する。
【０００２】
【従来の技術】
従来のこの種の車両用操作系操作状態表示システムとしては、例えば、操作スイッチ等操作系の画像を表示する表示系を備えたヘッドアップディスプレイ装置において、車内に操作パネルに配置された複数の操作スイッチへの使用者の接触を検知する複数のタッチセンサを備え、該タッチセンサが操作スイッチの接触を検知した時に、その操作スイッチとその関連するスイッチのみの画像を表示系に表示させると共に、操作スイッチを他の関連スイッチより強調して表示させるようにしたものがある（例えば、特許文献１参照）。・・従来例１
【０００３】
また、互いに機能が異なる複数の車載電装品の夫々について設定された多数のスイッチ類の表示像を表示手段に表示することにより、操作者による機能スイッチの選択と選択された機能スイッチへの操作を可能ならしめる車載電装品の操作装置において、操作者により前記複数の車載電装品のいずれかを選択し、かつ、いずれかの電装品が選択された後も他の電装品を選択可能にする電装品スイッチと、前記電装品選択スイッチに対する操作により選択された電装品の所定の機能を、前記表示手段に、上位機能スイッチと複数の下位機能スイッチとにより階層的に表示させる表示制御手段であって、車両が実質的に停車している場合には、前記複数の下位機能スイッチの全てを夫々第１の大きさで前記表示手段に表示し、車両が停車している場合には、前記上位機能スイッチを前記第１の大きさよりも大きい第２の大きさで表示して操作者による操作を可能ならしめると共に、さらに操作者による前記上位機能スイッチへの操作に応答して、前記複数の下位機能スイッチの夫々を順番に表示する表示制御手段とを備えたものがある（例えば、特許文献２参照）。・・従来例２
【０００４】
【特許文献１】
特開平８−３１８７５９号公報  （明細書（１）頁、図３、５、６）
【特許文献２】
特許第３０３４２６１号公報  （明細書（１）頁、第３Ｂ図）
【０００５】
【発明が解決しようとする課題】
しかしながら、従来例１にあっては、以下に列挙するような問題点がある。
即ち、操作パネルに各機能に応じた複数の操作スイッチを備えるため、操作パネルとして広いスペースが必要になり、従って、操作系のレイアウトの自由度に欠ける。
また、各操作スイッチ毎にタッチセンサを備える必要があるため、検出手段のコストが高くつくと共に、ソフトウエアが複雑になる。
また、スイッチ表示を操作パネルにおける各操作スイッチと同じ配列で表示させるために、スイッチブロック別に表示エリアが変化するため、ユーザ操作時のユーザビリティが低下し、かつ、瞬読性に欠ける。
【０００６】
また、従来例２にあっては、以下に列挙するような問題点がある。
即ち、複数の電装品を選択可能にする複数の電装品スイッチを備える必要があるため、検出手段のコストが高くつくと共に、ソフトウエアが複雑でコスト高になる。
また、車両が走行中、停車中を判定して、操作系に表示される情報量と表示内容を変化させるため、瞬読性に欠ける。
また、走行、停車を判断するため、認識装置からの情報を得る必要があり、このためシステムが高価になる。
【０００７】
本発明の解決しようとする課題は、表示系のコンパクト化が可能であると共に、瞬読性に優れる車両用操作系操作状態表示方法および操作系操作状態表示システムを提供することにあり、さらに、少ないキー数で複数の操作が可能で操作系のコンパクト化が可能であると共に、コストの低減化が可能な車両用操作系操作状態表示システムを提供することを追加の課題とする。
【０００８】
【課題を解決するための手段】
上記課題を解決するため請求項１記載の車両用操作系操作状態表示方法は、車両の所定の機能装置における各種機能の選択操作および各機能の動作・非動作および／または動作機能の切り替え操作を行う操作系の選択・切り替え操作に基づき、各機能の選択・切り替え操作状態を表示系に表示するようにした車両用操作系操作状態表示方法であって、前記表示系における各種機能の選択・切り替え操作状態表示として各機能毎に各機能に応じた異なるシンボルマーク、略字、略号等のマークが表示され、かつ、各機能のマークはそれぞれその時の切り替え操作状態に応じた異なるマークに切り替え表示され、前記操作系で選択された機能を前記表示系における選択機能のマークの位置にカーソル移動等の選択位置表示により視認可能にしたことを特徴とする手段とした。
【０００９】
請求項２記載の車両用操作系操作状態表示システムは、車両の所定の機能装置における各種機能の選択操作および各機能の動作・非動作および／または動作機能の切り替え操作を行う操作系と、該操作系の選択・切り替え操作に基づき、各機能の選択・切り替え操作状態を表示する表示系とを備えた車両用操作系操作状態表示システムであって、前記操作系は、少なくとも各種機能の選択操作キーと、各選択機能における動作・非動作および／または動作機能の切り替え操作を行う切替・決定キーとを備え、前記表示系は、各種機能の選択・切り替え操作状態表示として各機能毎に各機能に応じた異なるシンボルマーク、略字、略号等のマークが表示され、かつ、各機能のマークはそれぞれその時の切り替え操作状態に応じた異なるマークに切り替え表示され、前記操作系で選択された機能を前記表示系における選択機能のマークの位置にカーソル移動等の選択位置表示により視認可能にしたことを特徴とする手段とした。
【００１０】
請求項３記載の車両用操作系操作状態表示システムは、請求項２に記載の車両用操作系操作状態表示システムにおいて、前記操作系は、オ−ディオ装置、エアコン装置等の複数の機能装置の選択呼出キーと、各機能装置における各種機能の選択操作キーと、各選択機能における動作・非動作および／または動作機能の切り替え操作を行う切替・決定キーとを備え、前記表示系は、前記選択呼出キーで選択し呼び出された機能装置における各種機能の選択・切り替え操作状態が表示されるように構成されていることを特徴とする手段とした。
【００１１】
請求項４記載の車両用操作系操作状態表示システムは、請求項３に記載の車両用操作系操作状態表示システムにおいて、前記操作系における各種機能の選択操作キーが上下・左右の４方向キーで構成され、前記表示系における各種機能のマークが横一列に配置され、前記選択呼出キーの選択呼び出し機能装置がオーディオ装置の時は中央にボリュウム切替マーク、エアコン装置の時は中央に設定温度切替マークがそれぞれ表示され、それぞれ前記上下方向キー操作によりボリュームまた設定温度の切り替え操作が行えるように構成され、前記左右方向キー操作により各種機能の選択が行われ、前記切替・決定キーを構成するエンターキー操作により各選択機能における動作・非動作および／または動作機能の切り替え操作が行われるように構成されていることを特徴とする手段とした。
【００１２】
請求項５記載の車両用操作系操作状態表示方法または車両用操作系操作状態表示システムは、請求項１に記載の車両用操作系操作状態表示方法または請求項２〜４のいずれか１項に記載の車両用操作系操作状態表示システムにおいて、前記表示系における前記切替・決定キーで切り替えられる各選択機能における動作・非動作および／または動作機能の切り替えをマークの色調やコントラスト変化等により区別して表示するように構成されていることを特徴とする手段とした。
【００１３】
請求項６記載の車両用操作系操作状態表示方法または車両用操作系操作状態表示システムは、請求項１に記載の車両用操作系操作状態表示方法または請求項２〜４のいずれか１項に記載の車両用操作系操作状態表示システムにおいて、前記表示系における前記切替・決定キーで切り替えられる各選択機能における動作・非動作および／または動作機能の切り替えマークのうち、切り替え以外のマークをモノクロで表示し、切り替えマークをカラー表示するように構成されていることを特徴とする手段とした。
【００１４】
請求項７記載の車両用操作系操作状態表示方法または車両用操作系操作状態表示システムは、請求項１に記載の車両用操作系操作状態表示方法または請求項２〜６のいずれか１項に記載の車両用操作系操作状態表示システムにおいて、前記操作系がステアリングに設けられていることを特徴とする手段とした。
【００１５】
【作用および効果】
請求項１記載の車両用操作系操作状態表示方法では、上述のように、表示系における各種機能の選択・切り替え操作状態表示として各機能毎に各機能に応じた異なるシンボルマーク、略字、略号等のマークが表示され、かつ、各機能のマークはそれぞれその時の切り替え操作状態に応じた異なるマークに切り替え表示されるもので、これにより、各機能マークの表示内容を見るだけで各機能におけるその時の切り替え操作状態までも把握することができるようになる。
以上のように、各機能マークとして各機能における切り替え操作状態マークを切り替え表示するようにしたことで、限られた表示系の表示エリア内において多数の操作状態表示が可能で、各マーク表示を大きくレイアウトすることができるようになる。
従って、表示系のコンパクト化が可能であると共に、瞬読性に優れるという効果が得られる。
【００１６】
請求項２記載の車両用操作系操作状態表示システムでは、上述のように、表示系における各種機能の選択・切り替え操作状態表示として各機能毎に各機能に応じた異なるシンボルマーク、略字、略号等のマークが表示され、かつ、各機能のマークはそれぞれその時の切り替え操作状態に応じた異なるマークに切り替え表示されるもので、このように、各機能マークとして各機能における切り替え操作状態マークを切り替え表示するようにしたことで、限られた表示系の表示エリア内において多数の操作状態表示が可能で、各マーク表示を大きくレイアウトすることができるようになる。
従って、表示系のコンパクト化が可能であると共に、瞬読性に優れるという効果が得られる。
【００１７】
また、操作系における選択操作キーの操作によって各種機能の選択が行われると共に、該選択された機能が表示系における選択機能のマークの位置にカーソル移動等の選択位置表示により表示され、さらに切替・決定キーの操作により各選択機能における動作・非動作および／または動作機能の切り替え操作が行われる。
以上のように、少ないキー数で複数の操作が可能であるため、コストを低減化することができると共に、操作系をコンパクト化することができるため、操作系のレイアウトの自由度が高くなる。
【００１８】
請求項３記載の車両用操作系操作状態表示システムでは、上述のように、操作系として、各機能装置における各種機能の選択操作キーと、各選択機能における動作・非動作および／または動作機能の切り替え操作を行う切替・決定キーの他に、オ−ディオ装置、エアコン装置等の複数の機能装置の選択呼出キーを備えたことで、この選択呼出キー操作によって、複数の機能装置を共通のキー（選択操作キー、切替・決定キー）操作で各種機能の選択・切り替え操作が行えると共に、同一の表示系に切り替え表示することができるようになる。
以上のように、少ないキー数で複数の機能装置のそれぞれ複数の操作が可能であるため、優れた瞬読性を確保しつつ、操作系および表示系をさらにコンパクト化することができ、これにより、操作系および表示系のレイアウトの自由度が高くなる。
【００１９】
請求項４記載の車両用操作系操作状態表示システムでは、上述のように、表示系における各種機能のマークが横一列に配置されていて、操作系における各種機能の選択操作キーのうち、左右の方向キーを操作することによって各種機能の選択が行われ、エンターキー操作により各選択機能における動作・非動作および／または動作機能の切り替え操作が行われる。
以上のように、操作系（左右の方向キー）の操作方向と表示系における各種機能のマークの配置方向を一致させることにより、操作性を高めることができるようになる。
【００２０】
また、表示系においてボリューム切り替えマークおよび設定温度切り替えマークを中央に配置すると共に、操作系においてボリューム切り替え機能および設定温度切り替え機能を他の機能の選択操作キー（左右の方向キー）とは切り離し、上下の方向キーを操作することによって、ボリュームまたは設定温度の切り替えが行えるようにしたことで、使用頻度の高い操作の操作性を高めることができるようになる。
【００２１】
請求項５記載の車両用操作系操作状態表示システムまたは車両用操作系操作状態表示システムでは、上述のように、表示系における前記切替・決定キーで切り替えられる各選択機能における動作・非動作および／または動作機能の切り替えをマークの色調やコントラスト変化等により区別して表示するようにしたもので、これにより、切替・決定キーで切り替えられた現在の切り替え状態を明確に認識することができるようになる。
【００２２】
請求項６記載の車両用操作系操作状態表示システムまたは車両用操作系操作状態表示システムでは、上述のように、表示系における前記切替・決定キーで切り替えられる各選択機能における動作・非動作および／または動作機能の切り替えマークのうち、切り替え操作前の状態を示すマークをモノクロで表示し、切り替え操作後の現在の状態を示すマークをカラー表示するようにしたもので、これにより、切替・決定キーで切り替えられた現在の切り替え状態を、マークのカラー表示により操作前の状態（モノクロ表示）と明確に区別して認識することができるようになる。
【００２３】
請求項７記載の車両用操作系操作状態表示システムまたは車両用操作系操作状態表示システムでは、上述のように、操作系がステアリングに設けられることで、手元操作により操作性を高めることができるようになる。
【００２４】
【発明の実施の形態】
以下にこの発明の実施の形態を図面に基づいて説明する。
（発明の実施の形態１）
この発明の実施の形態１の車両用操作系操作状態表示方法および操作状態表示システムは、請求項１〜７に記載の発明に対応する。
まず、この発明の実施の形態１の車両用操作系操作状態表示方法および操作系操作状態表示システムを図面に基づいて説明する。
【００２５】
図１はこの発明の実施の形態１の車両用操作系操作状態表示システムが適用された車両の室内を示す斜視図、図２は操作系が組み込まれたステアリングを示す正面図、図３は操作系部分を示す要部拡大図であり、これらの図において、Ａは操作系、Ｂは表示系をそれぞれ示す。
【００２６】
前記操作系Ａは、車両に搭載された機能装置であるオーディオ装置とエアコン装置の選択呼び出し、各機能装置における各種機能の選択操作、および、各機能の動作・非動作および／または動作機能の切り替え操作を行うもので、この発明の実施の形態１では、図２に示すようにステアリングＳＴに設けられている。
【００２７】
この操作系Ａは、図３にその詳細を示すように、オ−ディオ装置（ＡＵＤＩＯ）の選択呼び出しを行うオーディオ用選択呼出キー１と、エアコン装置（Ａ／Ｃ）の選択呼び出しを行うエアコン用選択呼出キー２とが操作パネルＰの左側に上下方向に配置され、操作パネルＰの右側には各機能の動作・非動作および／または動作機能の切り替え操作を行う切替・決定キーとしてのエンターキー３を中心として、その上下にオーディオ装置のボリュームの切り替えまたはエアコン装置における設定温度の切り替えを行う上方向キー４および下方向キー５が、また左右には各機能装置における各種機能の選択操作を行う選択操作キーとしての左方向キー６および右方向キー７がそれぞれ配置されている。
【００２８】
前記表示系Ｂは、前記操作系Ａの操作状態を表示するもので、図１に示すように、ヘッドアップディスプレイ３１、センタディスプレイ３２、メータ内ディスプレイ３３のうちのいずれか１つのディスプレイが用いられる。
【００２９】
図４は、前記エアコン用選択呼出キー２を押圧操作した時の表示系Ｂにおける初期表示内容を示すものであり、この図に示すように、エアコン装置における各種機能のマーク２１〜２７が横一列に配置されている。
【００３０】
即ち、中央部に温度調節を行うための設定温度切替マーク２１が、その時の設定温度を示す数値で表示され、その左側には右から順に、オート・エアコン切替マーク２２、風向切替マーク２３、風量切替マーク２４が表示され、また、設定温度切替マーク２１の右側には左から順に内・外気切替マーク２５、フロントデフオン・オフ切替マーク２６、リヤデフオン・オフ切替マーク２７がそれぞれ表示されている。
【００３１】
また、前記選択操作キーとしての左方向キー６および右方向キー７の操作が行われていない初期状態では、選択機能が設定温度切替位置となっており、前記設定温度切替マーク２１の上下両側縁部に左方向キー６または右方向キー７で選択される機能位置を示す選択位置表示としてのカーソル２８が表示されている。
そこで、この状態で上方向キー４を押圧操作する度に設定温度が０．５℃づつ高くなり、下方向キー５を押圧操作する度に設定温度が０．５℃づつ低くなり、設定温度切替マーク２１にはそれぞれの変更設定温度が数値表示される。
【００３２】
前記選択操作キーとしての左方向キー６を操作する度に、図５〜７に示すように、カーソル２８がオート・エアコン切替マーク２２、風向切替マーク２３、風量切替マーク２４の順で移動表示され、それぞれのマークに応じた機能への選択が行われ、また、右方向キー７を操作する度に、図８〜１０に示すように、カーソル２８が内・外気切替マーク２５、フロントデフオン・オフ切替マーク２６、リヤデフオン・オフ切替マーク２７の順で移動表示され、それぞれのマークに応じた機能への選択が行われるようになっている。
【００３３】
このように、カーソル２８が選択操作キーとしての左方向キー６または右方向キー７の操作により選択された機能のマークの位置に移動することにより、現在選択されている機能を視覚的に認識することができる。そして、この状態で、エンターキー３を操作することにより、選択された機能の動作・非動作および／または動作機能の切り替え操作、および、切り替え操作状態に応じた異なるマークに切り替え表示が行われるようになっている。
【００３４】
そこで、選択された各機能における動作・非動作および／または動作機能の切り替え内容および切り替え表示の内容を図５〜１０に基づいて説明する。
まず、図５は、図４の初期状態から、左方向キー６を１回押圧操作したオート・エアコン切替機能時の状態を示すもので、この状態ではオート・エアコン切替マーク２２としてＡＵＴＯ文字とエアコンを示す雪結晶マーク２２ａが表示され、オートエアコンモード状態であることを示している。そして、この初期状態から、エンターキー３を押圧操作する度に、ＡＵＴＯ文字２２ｂのみのオートモード→雪結晶マーク２２ｃのみのエアコンモード→ＯＦＦ文字２２ｄのオフモード→オートエアコンモード、へのモード切り替えおよび表示切り替えが行われる。なお、前記オフモードでは、ＡＵＴＯ文字と雪結晶マークのコントラストが変化し、ＯＦＦの文字２２ｄが最も認識し易いようにコントラストを変化させるようになっている。
【００３５】
図６は、図４の初期状態から、左方向キー６を２回押圧操作した風向切替機能時の状態を示すもので、この状態では、風向切替マーク２３として変化しない人形マークに対しコントラストを変化させた矢印がフェース方向に向いたフェースマーク２３ａが表示され、フェースモードであることを示している。そして、この初期状態から、エンターキー３を押圧操作する度に、矢印が人形マークのフェース方向とフット方向に向いたフェース・フットマーク２３ａのフェース＆フットモード→矢印が人形マークのフット方向に向いたフットマーク２３のフットモード→フェースモード、へのモードへの切り替えおよび表示切り替えが行われる。
【００３６】
図７は、図４の初期状態から、左方向キー６を３回押圧操作した風量切替機能時の状態を示すもので、この状態では、風量切替マーク２４として変化しないファンマークに対し羽１個のコントラストを変化させた羽１マーク２４ａが表示され、風量１速モードであることを示している。そして、この初期状態から、エンターキー３を押圧操作する度に、羽２マーク２４ｂの風量２速モード→羽３マーク２４ｃの風量３速モード→羽４マーク２４ｄの風量４速モード→羽０マーク２４ｅの風量０モード→風量１速モード、への切り替えおよび表示切り替えが行われる。
【００３７】
図８は、図４の初期状態から、右方向キー７を１回押圧操作した内・外気切替機能時の状態を示すもので、この状態では、内・外気切替マーク２５として変化しない車体マークにコントラストを変化させた内気循環矢印のコントラストを変化させた内外循環マーク２５ａが表示され、内外循環モードであることを示している。そして、この初期状態から、エンターキー３を押圧操作する度に、外気導入矢印のコントラストを変化させた外気導入マーク２５ｂの外気導入モード→内外循環モード、への切り替えおよび表示切り替えが行われる。
【００３８】
図９は、図４の初期状態から、右方向キー７を２回押圧操作したフロントデフオン・オフ切替機能時の状態を示すもので、この状態では、フロントデフオン・オフ切替マーク２６として白抜き状態のフロントデフオフマーク２６ａが表示され、フロントデフオフモードであることを示している。そして、この初期状態からエンターキー３を押圧操作する度に、黒塗り状態にコントラストを変化させたフロントデフオンマーク２６ｂのフロントデフオンモード→フロントデフオフモード、への切り替えおよび表示切り替えが行われる。
【００３９】
図１０は、図４の初期状態から、右方向キー７を３回押圧操作したリヤデフオン・オフ切替機能時の状態を示すもので、この状態では、リヤデフオン・オフ切替マーク２７として黒塗り状態にコントラストを変化させたリヤデフオンマーク２７ａが表示され、リヤデフオンモードであることを示している。そして、この初期状態からエンターキー３を押圧操作する度に、白抜き状態のリヤデフオフマーク２７ａのリヤデフオフモード→リヤデフオンモード、への切り替えおよび表示切り替えが行われる。
【００４０】
図１１は、前記オーディオ用選択呼出キー１を押圧操作した時の表示系Ｂにおける初期表示内容を示すものであり、この図に示すように、オーディオ装置における各種機能のマーク１１〜１５が横一列に配置されている。
【００４１】
即ち、中央部にボリューム調節を行うためのボリューム切替マーク１１が、ＶＯＬ文字で表示され、その左側には右から順に、選局切替マーク１２、交通情報オン・オフ切替マーク１３が表示され、また、ボリューム切替マーク１１の右側には左から順に、選局切替マーク１４、ＦＭ・ＡＭ切替マーク１５がそれぞれ表示されている。
【００４２】
また、前記選択操作キーとしての左方向キー６および右方向キー７の操作が行われていない初期状態では、選択機能がボリューム切替位置となっており、前記ボリューム切替マーク１１の上下両側縁部に左方向キー６または右方向キー７で選択される機能位置を示す選択位置表示としてのカーソル１６が表示されている。
そこで、この状態で上方向キー４を押圧操作する度にボリュームが段階的に高くなり、下方向キー５を押圧操作する度に段階的にボリュームが低くなる。
【００４３】
前記選択操作キーとしての左方向キー６を操作する度に、図１２、１３に示すように、カーソル１６が選局切替マーク１２、交通情報ＯＮ・ＯＦＦ切替マーク１３の順で移動表示され、それぞれのマークに応じた機能への選択が行われ、また、右方向キー７を操作する度に、図１４、１５に示すように、カーソル１６が選局切替マーク１４、ＦＭ・ＡＭ切替マーク１５の順で移動表示され、それぞれのマークに応じた機能への選択が行われるようになっている。
【００４４】
このように、カーソル１６が選択操作キーとしての左方向キー６または右方向キー７の操作により選択された機能のマークの位置に移動することにより、現在選択されている機能を視覚的に認識することができる。そして、この状態で、エンターキー３を操作することにより、選択された機能の動作・非動作および／または動作機能の切り替え操作、および、切り替え操作状態に応じた異なるマークに切り替え表示が行われるようになっている。
【００４５】
そこで、選択された各機能における動作・非動作および／または動作機能の切り替え内容および切り替え表示の内容を図１２〜１５に基づいて説明する。
まず、図１２は、図１１の初期状態から、左方向キー６を１回押圧操作した選局切替機能時の状態を示すもので、この状態では、選局切替マーク１２として左方向矢印とｃｈ１および周波数文字１２ａが表示され、チャンネル１選局モードであることを示している。そして、この初期状態から、エンターキー３を押圧操作する度に、ｃｈ６および周波数文字１２ｆのチャンネル６選局モード→ｃｈ５および周波数文字１２ｅのチャンネル５選局モード→・・・チャンネル１選局モード、へのモード切り替えおよび表示切り替えが行われる。
【００４６】
図１３は、図１１の初期状態から、左方向キー６を２回押圧操作した交通情報ＯＮ・ＯＦＦ切替機能時の状態を示すもので、この状態では、交通情報ＯＮ・ＯＦＦ切替マーク１３として、白抜き状態の交通情報ＯＦＦマーク１３ａが表示表され、交通情報ＯＦＦモードであることを示している。そして、この初期状態から、エンターキー３を押圧操作する度に、黒塗り状態にコントラストを変化させた交通情報ＯＮマーク１３ｂの交通情報ＯＮモード→交通情報ＯＦＦモード、への切り替えおよび表示切り替えが行われる。なお、交通情報ＯＮモードの時は、ＡＭ切替モードおよび表示がＭＯＤＥ・ＡＭ文字１５ｂのＡＭモードに切り替わり、交通情報ＯＦＦモードの時は、ＭＯＤＥ・ＦＭ文字１５ａのＦＭモードに切り替わるようになっている。
【００４７】
図１４は、図１１の初期状態から、右方向キー７を１回押圧操作した選局切替機能時の状態を示すもので、この状態では、選局切替マーク１４として右方向矢印とｃｈ１および周波数文字１４ａが表示され、チャンネル１選局モードであることを示している。そして、この初期状態から、エンターキー３を押圧操作する度に、ｃｈ２および周波数文字１２ｂのチャンネル２選局モード→ｃｈ３および周波数文字１２ｃのチャンネル３選局モード→・・・チャンネル６選局モード→チャンネル１選局モード、へのモード切り替えおよび表示切り替えが行われる。
【００４８】
図１５は、図１１の初期状態から、右方向キー７を２回押圧操作したＦＭ・ＡＭ切替機能時の状態を示すもので、この状態では、ＦＭ・ＡＭ切替マーク１５としてＭＯＤＥ・ＦＭ文字１５ａが表示され、ＦＭモードであることを示している。そして、この初期状態からエンターキー３を押圧操作する度に、ＭＯＤＥ・ＡＭ文字１５ｂのＡＭモード→ＭＯＤＥ・ＣＤ文字１５ｃのＣＤモード→ＭＯＤＥ・ＭＤ文字１５ｄのＭＤモード→ＦＭモードへの切り替えおよび表示切り替えが行われる。
【００４９】
次に、この発明の実施の形態１の作用・効果を説明する。
以上詳細に説明してきたように、この発明の実施の形態１の車両用操作系操作状態表示方法および操作系操作状態表示システムによれば、上述のように、表示系Ｂにおける各種機能の選択・切り替え操作状態表示として各機能毎に各機能に応じた異なるシンボルマーク、略字、略号等のマークが表示され、かつ、各機能のマークはそれぞれその時の切り替え操作状態に応じた異なるマークに切り替え表示されるようにしたことで、各機能マークの表示内容を見るだけで各機能におけるその時の切り替え操作状態までも把握することができるようになる。
以上のように、各機能マークと各機能における切り替え操作状態マークとを切り替え表示するようにしたことで、限られた表示系Ｂの表示エリア内において多数の操作状態表示が可能で、各マーク表示を大きくレイアウトすることができるようになる。
従って、表示系Ｂのコンパクト化が可能であると共に、瞬読性に優れるという効果が得られる。
【００５０】
また、操作系Ａにおける左右方向キー６、７の操作によって各種機能の選択が行われると共に、該選択された機能が表示系Ｂにおける選択機能のマークの位置にカーソル２８、１６の移動により表示され、さらにエンターキー３および上下方向キー４、５の操作により各選択機能における動作・非動作および／または動作機能の切り替え操作が行われる。
以上のように、少ないキー数で複数の操作が可能であるため、コストの低減化が可能になると共に、操作系Ａをコンパクト化することができるため、操作系Ａのレイアウトの自由度が高くなる。
【００５１】
また、操作系Ａとして、各種機能の選択操作キーを構成する左右方向キー６、７と、各選択機能における動作・非動作および／または動作機能の切り替え操作を行うエンターキー３および上下方向キー４、５、の他に、オ−ディオ装置およびエアコン装置の複数の機能装置の選択呼出キー（オーディオ用選択呼出キー１、エアコン用選択呼出キー２）を備えたことで、この選択呼出キー操作によって、複数の機能装置を共通のキー（上下方向キー４、５、左右方向キー６、７、エンターキー３）操作で各種機能の選択・切り替え操作が行えると共に、同一の表示系Ｂの同一の位置に切り替え表示することができるようになる。
以上のように、少ないキー数で複数の機能装置のそれぞれ複数の操作が可能であるため、優れた瞬読性を確保しつつ、操作系Ａおよび表示系Ｂをさらにコンパクト化することができ、これにより、操作系Ａおよび表示系Ｂのレイアウトの自由度が高くなる。
【００５２】
また、表示系Ｂにおける各種機能のマークが横一列に配置されていて、操作系にＡおける各種機能の選択操作キーのうち、左右の方向キー６、７を操作することによって各種機能の選択が行われ、エンターキー３の操作により各選択機能における動作・非動作および／または動作機能の切り替え操作が行われる。
以上のように、操作系Ａ（左右の方向キー６、７）の操作方向と表示系Ｂにおける各種機能のマークの配置方向を一致させることにより、操作性を高めることができるようになる。
【００５３】
また、表示系Ｂにおいてボリューム切替マーク１１および設定温度切替マーク２１を中央に配置すると共に、操作系Ａにおいてボリューム切り替え機能および設定温度切り替え機能を他の機能の選択操作キー（左右方向キー６、７）とは切り離し、上下方向キー４、５を操作することによって、ボリュームまたは設定温度の切り替えが行えるようにしたことで、使用頻度の高い操作の操作性を高めることができるようになる。
【００５４】
また、表示系Ｂにおける前記エンターキー３で切り替えられる各選択機能における動作・非動作および／または動作機能の切り替えをマークの色調やコントラスト変化等により区別して表示するようにしたことで、エンターキー３で切り替えられた現在の切り替え状態を明確に認識することができるようになる。
【００５５】
また、表示系Ｂにおける前記エンターキー３で切り替えられる各選択機能における動作・非動作および／または動作機能の切り替えマークのうち、切り替え操作前の状態を示すマークをモノクロで表示し、切り替え操作後の状態を示すマークをカラー表示するようにすることにより、エンターキー３で切り替えられた現在の切り替え操作状態を、マークのカラー表示により操作前の状態（モノクロ表示）と明確に区別して認識することができるようになる。
【００５６】
また、操作系ＡがステアリングＳＴに設けられることで、手元操作により操作性を高めることができるようになる。
【００５７】
次に、他の発明の実施の形態について説明する。この他の発明の実施の形態の説明にあたっては、前記発明の実施の形態１と同様の構成部分については図示を省略し、もしくは同一の符号を付けてその説明を省略し、相違点についてのみ説明する。
【００５８】
（発明の実施の形態２）
この発明の実施の形態２の車両用操作系操作状態表示方法および操作系操作状態表示システムを図１６、１７に基づいて説明する。
【００５９】
図１６は表示系Ｂにおけるエアコン装置選択呼出初期状態を示す図であり、この図に示すように、初期状態における表示系Ｂの基本的な機能の内容および配列は前記発明の実施の形態１（図４）とほぼ同様であるが、風量切替機能選択時、および、風向切替機能選択時における各機能の動作・非動作および／または動作機能の切替操作方法および表示方法が、前記発明の実施の形態１とは相違している。
【００６０】
即ち、風向切替機能時の初期状態では、風向切替マーク２３として変化しない人形マークに対しコントラストを変化させた矢印がフェース方向に向いたフェースマーク２３ａが表示され、フェースモードであることを示している点は前記発明の実施の形態１と同様であるが、風向切替マーク２３の上下に上下方向の矢印ａ１、ａ２が表示されていて、上下方向キー４、５により風向モードの切り替えおよび表示切り替えが行えるように構成されている点が、エンターキー３を用いる発明の実施の形態１とは相違している。
【００６１】
また、風量切替機能時の初期状態では、風量切替マーク２４として変化しないファンマークに対し羽１個のコントラストを変化させた羽１マーク２４ａが表示され、風量１速モードであることを示している点は前記発明の実施の形態１と同様であるが、風量切替マーク２４の上下に上下方向の矢印ｂ１、ｂ２が表示されていて、上下方向キー４、５により風量モードの切り替えおよび表示切り替えが行えるように構成されている点が、エンターキー３を用いる発明の実施の形態１とは相違している。
【００６２】
図１７は表示系Ｂにおけるオーディオ装置選択呼出初期状態を示す図であり、この図に示すように、初期状態における表示系Ｂの基本的な機能の内容および配列は前記発明の実施の形態１（図１１）とほぼ同様であるが、両選局切替機能時における切替機能、切替操作方法および表示方法が、前記発明の実施の形態１とは相違している
【００６３】
まず、左方向キー６を１回押圧操作した選局切替機能時の初期状態では、選局切替マーク１２としてｃｈ１および周波数文字１２ａが表示されると共に、その上下には上下方向の矢印ｃ１、ｃ２が表示されている。そして、上下方向キー４、５を操作することにより、ラジオ（ＡＭ・ＦＭ）モードの時は、メモリチャンネルの切り替えが行われ、また、ＣＤ／ＭＤモードのときは、トラックの切り替えが行われるようになっている点が、前記発明の実施の形態１とは相違している。
【００６４】
また、右方向キー７を１回押圧操作した選局切替機能時の初期状態では、選局切替マーク１４として周波数文字１４ａが表示されると共に、その上下には上下方向の矢印ｄ１、ｄ２が表示されている。そして、上下方向キー４、５を操作することにより、ラジオ（ＡＭ・ＦＭ）モードの時は、周波数のチューニングが行われ、また、ＣＤ／ＭＤモードの時は、早送り（ＦＦ）および巻き戻し（ＲＥＷ）が行われるようになっている点が、前記発明の実施の形態１とは相違している。
【００６５】
従って、この発明の実施の形態２の車両用操作系操作状態表示方法および操作系操作状態表示システムによれば、前記発明の実施の形態１と同様の効果が得られる他に、同じキー数でさらに機能を追加することができるようになるいう追加の効果が得られる。
【００６６】
以上本発明の実施の形態を説明してきたが、本発明は上述の発明の実施の形態に限られるものではなく、本発明の要旨を逸脱しない範囲の設計変更等があっても、本発明に含まれる。
例えば、発明の実施の形態では、選択位置表示として、カーソルを移動表示させるようにしたが、その他の任意の選択位置表示を用いることができる。
【００６７】
また、発明の実施の形態では、上下・左右の４方向キー４、５、６、７を用いたが、ジョイスティックを用いることもできる。
また、発明の実施の形態では、機能装置として、エアコン装置とオーディオ装置の２種類の場合を例示したが、３種類以上であってもよく、もしくは単独の機能装置のみであってもよい。
【図面の簡単な説明】
【図１】発明の実施の形態１の車両用操作系操作状態表示システムが適用された車両の室内を示す斜視図である。
【図２】発明の実施の形態１における操作系が組み込まれたステアリングを示す正面図である。
【図３】発明の実施の形態１における操作系部分を示す要部拡大図である。
【図４】発明の実施の形態１における表示系でエアコン装置選択呼出初期状態を示す図である。
【図５】発明の実施の形態１における表示系でエアコン装置選択呼出状態のうちオート・エアコン切替機能選択状態を示す図である。
【図６】発明の実施の形態１における表示系でエアコン装置選択呼出状態のうち風向切替機能選択状態を示す図である。
【図７】発明の実施の形態１における表示系でエアコン装置選択呼出状態のうち風量切替機能選択状態を示す図である。
【図８】発明の実施の形態１における表示系でエアコン装置選択呼出状態のうち内・外気切替機能選択状態を示す図である。
【図９】発明の実施の形態１における表示系でエアコン装置選択呼出状態のうちフロントデフオン・オフ切替機能選択状態を示す図である。
【図１０】発明の実施の形態１における表示系でエアコン装置選択呼出状態のうちリヤデフオ・オフ切替機能選択状態を示す図である。
【図１１】発明の実施の形態１における表示系でオーディオ装置選択呼出初期状態を示す図である。
【図１２】発明の実施の形態１における表示系でオーディオ装置選択呼出状態のうち選局切替選択状態を示す図である。
【図１３】発明の実施の形態１における表示系でオーディオ装置選択呼出状態のうち交通情報ＯＮ・ＯＦＦ切替選択状態を示す図である。
【図１４】発明の実施の形態１における表示系でオーディオ装置選択呼出状態のうち選局切替選択状態を示す図である。
【図１５】発明の実施の形態１における表示系でオーディオ装置選択呼出状態のうちＦＭ・ＡＭ切替選択状態を示す図である。
【図１６】発明の実施の形態２における表示系でエアコン装置選択呼出初期状態を示す図である。
【図１７】発明の実施の形態２における表示系でオーディオ装置選択呼出初期状態を示す図である。
【符号の説明】
【００１６】
Ａ  操作系
Ｂ  表示系
Ｐ  パネル
ＳＴ  ステアリング
１  オーディオ用選択呼出キー
２  エアコン用選択呼出キー
３  エンターキー（切替・決定キー）
４  上方向キー（切替・決定キー）
５  下方向キー（切替・決定キー）
６  左方向キー（選択操作キー）
７  右方向キー（選択操作キー）
２１  設定温度切替マーク
２２  オート・エアコン切替マーク
２３  風向切替マーク
２４  風量切替マーク
２５  内・外気切替マーク
２６  フロントデフオン・オフ切替マーク
２７  リヤデフオン・オフ切替マーク
３１  ヘッドアップディスプレイ
３２  センタディスプレイ
３３  メータ内ディスプレイ
【図１】
2004243834.tif 000003
【図２】
2004243834.tif 000004
【図３】
2004243834.tif 000005
【図４】
2004243834.tif 000006
【図５】
2004243834.tif 000007
【図６】
2004243834.tif 000008
【図７】
2004243834.tif 000009
【図８】
2004243834.tif 000010
【図９】
2004243834.tif 000011
【図１０】
2004243834.tif 000012
【図１１】
2004243834.tif 000013
【図１２】
2004243834.tif 000014
【図１３】
2004243834.tif 000015
【図１４】
2004243834.tif 000016
【図１５】
2004243834.tif 000017
【図１６】
2004243834.tif 000018
【図１７】
2004243834.tif 000019